(57)【要約】【課題】環境分野や食品分野や医療分野の検査・診断等に使用されるバイオセンサキットにおいて、反応効率を向上させることを目的とする。【解決手段】台座１に固定された基板２に検知対象物と特異的に反応する反応物質が固定化された動作電極３を形成し、検知対象物が含まれているサンプル溶液４を前記動作電極３上に接触させ前記検知対象物と前記反応物質とが反応し前記検知対象物を検知する方法において、前記サンプル溶液４が前記動作電極３上のみに流入・吐出できるようにチューブ５とキャップ６を接続した流路形成部７を設け、前記動作電極３が設けられた前記基板２と前記台座１の一体とが前記流路形成部７と密着・固体化することにより、。現在の前記基板２上に設けられている前記動作電極３の構成で検知感度を向上化することができ、そして、反応物質と検知対象物の接触を良くし反応効率を向上させることができる。【選択図】図１
2005114462.tif 000002
【特許請求の範囲】
【請求項１】
台座に固定された基板に検知対象物と特異的に反応する反応物質が固定化された動作電極を形成し、検知対象物が含まれているサンプル溶液を前記動作電極上に接触させ前記検知対象物と前記反応物質とが反応し前記検知対象物を検知する方法において、前記サンプル溶液が前記動作電極上のみに流入・吐出できるようにチューブとキャップを接続した流路形成部を設け、前記動作電極が設けられた前記基板と前記台座の一体とが前記流路形成部と密着・固体化することを特徴とするバイオセンサキット。
【請求項２】
流路形成部が動作電極が設けられた基板と台座の一体とが密着・固定化されていないことを特徴とする請求項１記載のバイオセンサキット。
【請求項３】
流路形成部がブリスター加工で形成することを特徴とする請求項１または２記載のバイオセンサキット。
【請求項４】
流路形成部および基板のどちらか一方もしくは両方に突起物を設けた請求項１〜３いずれか記載のバイオセンサキット。
【請求項５】
動作電極間の形成高さが階段状になるように、調整部によって段差を設けたことを特徴とする請求項１〜４いずれか記載のバイオセンサキット。
【請求項６】
動作電極が設けられた基板が、流路形成部の上方途中に設けられたことを特徴とする請求項１〜５いずれか記載のバイオセンサキット。
【請求項７】
動作電極の表面がサンプル溶液と接触するように流れに対して角度をもったことを特徴とする請求項１〜６いずれか記載のバイオセンサキット。
【請求項８】
台座および流路形成部の中央部に対となるよう突起物を設けた請求項７記載のバイオセンサキット。
【請求項９】
動作電極をサンプル溶液の流れに対して並行に、複数重ねたことを特徴とする請求項６項記載のバイオセンサキット。
【請求項１０】
流路形成部内にサンプル溶液が流れる流路を並列に複数並べたことを特徴とする請求項７項記載のバイオセンサキット。
【請求項１１】
流路形成部内にサンプル溶液の流れ方向に動作電極を設けた基板と上記台座一体が複数並べたことを特徴とする請求項１０記載のバイオセンサキット。
【発明の詳細な説明】
【技術分野】
【０００１】
本発明は、被検物質、例えば、抗原となり得る化学物質や環境ホルモンやタンパク質や微生物・ウイルス等迅速に検知するのに使用される環境分野や食品分野や医療分野の検査・診断におけるバイオセンサキットに関する。
【背景技術】
【０００２】
従来、この種の電気化学反応を電気信号（電流）として検知するバイオセンサキットは、特許文献１に記載されたものが知られている。
【０００３】
以下、その電気化学反応を電気信号（電流）として検知するバイオセンサキットについて図１５および図１６を参照しながら説明する。
【０００４】
図に示すように、動作電極１０１が設けられた基板１０２と台座１０３の一体に、検知対象物が含まれているサンプル溶液１０４を前記動作電極１０１上に滴下できるようにセル１０５を前記基板１０２上に形成し、前記動作電極１０１上で検知対象物を結合させるというものであった。
【特許文献１】特開２００３−９８１７４号公報
【発明の開示】
【発明が解決しようとする課題】
【０００５】
このような従来のバイオセンサキットでは、現在の基板上に設けられている動作電極の構成で検知感度を向上化したいという課題があり、反応物質と検知対象物の接触を良くし反応効率を向上させることが要求されている。
【０００６】
また、基板を取り扱い易くしたいという課題があり、基板の構成を簡易化できることが要求されている。
【０００７】
また、キットを作り易く低コストで作製したいという課題があり、簡易的にまた低コストで作製できることが要求されている。
【０００８】
また、検知時間を短縮化したいという課題があり、サンプル溶液の動作電極および基板表面との接触効率を向上化させることが要求されている。
【０００９】
また、一度に多項目処理をしたいという課題があり、多項目を同時に検知できることが要求されている。
【００１０】
また、一度に多サンプル溶液処理をしたいという課題があり、多サンプル溶液を同時に検知できることが要求されている。
【００１１】
また、一度に多項目・多サンプル溶液を処理したいという課題があり、多項目・多サンプルを同時に検知できることが要求されている。
【００１２】
本発明は、このような従来の課題を解決するものであり、現在の基板上に設けられている動作電極の構成で検知感度を向上化することができ、反応物質と検知対象物の接触を良くし反応効率を向上させることができるバイオセンサキットを提供することを目的としている。
【００１３】
また、基板を取り扱い易くすることができ、基板の構成を簡易化できるバイオセンサキットを提供することを目的としている。
【００１４】
また、キットを作り易く低コストで作製することができ、簡易的にまた低コストで作製できるバイオセンサキットを提供することを目的としている。
【００１５】
また、検知および洗浄時間を短縮化することができ、各溶液の動作電極および基板表面との接触効率を向上化できるバイオセンサキットを提供することを目的としている。
【００１６】
また、一度に多項目処理をすることができ、多項目を同時に検知できるバイオセンサキットを提供することを目的としている。
【００１７】
また、一度に多サンプル溶液処理をすることができ、多サンプル溶液を同時に検知できるバイオセンサキットを提供することを目的としている。
【００１８】
また、一度に多項目・多サンプル溶液を処理することができ、多項目・多サンプルを同時に検知できるバイオセンサキットを提供することを目的としている。
【課題を解決するための手段】
【００１９】
本発明のバイオセンサキットは上記目的を達成するために、台座に固定された基板に検知対象物と特異的に反応する反応物質が固定化された動作電極を形成し、検知対象物が含まれているサンプル溶液を前記動作電極上に接触させ前記検知対象物と前記反応物質とが反応し前記検知対象物を検知する方法において、前記サンプル溶液が前記動作電極上のみに流入・吐出できるようにチューブとキャップを接続した流路形成部を設け、前記動作電極が設けられた前記基板と前記台座の一体とが前記流路形成部と密着・固体化としたものである。
【００２０】
この手段により現在の基板上に設けられている動作電極の構成で検知感度を向上化することができ、また、反応物質と検知対象物の接触を良くし反応効率を向上させることができるバイオセンサキットが得られる。
【００２１】
また、本発明のバイオセンサキットは上記目的を達成するために、前記流路形成部が前記動作電極が設けられた前記基板と前記台座の一体とが密着・固定化されていないものである。
【００２２】
この手段により基板を取り扱い易くすることができ、また、基板の構成を簡易化できるバイオセンサキットが得られる。
【００２３】
また、本発明のバイオセンサキットは上記目的を達成するために、前記流路形成部がブリスター加工で形成としたものである。
【００２４】
これによりキットを作り易く低コストで作製することができ、また、簡易的にまた低コストで作製できる電気化学方式バイオセンサキットが得られる。
【００２５】
また、本発明のバイオセンサキットは上記目的を達成するために、前記流路形成部および前記基板のどちらか一方もしくは両方に突起物を設けたものである。
【００２６】
これにより検知および洗浄時間を短縮化することができ、また、各溶液の動作電極および基板表面との接触効率を向上化できるバイオセンサキットが得られる。
【００２７】
また他の手段は、前記動作電極間の形成高さが階段状になるように、調整部によって段差を設けたものである。
【００２８】
これにより検知および洗浄時間を短縮化することができ、また、各溶液の動作電極および基板表面との接触効率を向上化できるバイオセンサキットが得られる。
【００２９】
また他の手段は、前記動作電極が設けられた前記基板が、前記流路形成部の上方途中に設けたものである。
【００３０】
これにより検知および洗浄時間を短縮化することができ、また、各溶液の動作電極および基板表面との接触効率を向上化できるバイオセンサキットが得られる。
【００３１】
また他の手段は、前記動作電極の表面が前記サンプル溶液と接触するように流れに対して角度をもったもである。
【００３２】
これにより検知および洗浄時間を短縮化することができ、また、各溶液の動作電極および基板表面との接触効率を向上化できるバイオセンサキットが得られる。
【００３３】
また他の手段は、前記台座および前記流路形成部の中央部に対となる突起物を設けたものである。
【００３４】
これにより検知および洗浄時間を短縮化することができ、また、各溶液の動作電極および基板表面との接触効率を向上化できるバイオセンサキットが得られる。
【００３５】
また、本発明のバイオセンサキットは上記目的を達成するために、前記動作電極を前記サンプル溶液の流れに対して並行に、複数重ねたものである。
【００３６】
これにより一度に多項目処理をしたいという課題があり、多項目を同時に検知できるバイオセンサキットが得られる。
【００３７】
また、本発明の電気化学方式バイオセンサキットは上記目的を達成するために、前記流路形成部内に前記サンプル溶液が流れる流路を並列に複数並べたものである。
【００３８】
これにより一度に多サンプル溶液処理をしたいという課題があり、多サンプル溶液を同時に検知できるバイオセンサキットが得られる。
【００３９】
また、本発明の電気化学方式バイオセンサキットは上記目的を達成するために、前記流路形成部内に前記サンプル溶液の流れ方向に前記動作電極を設けた前記基板と前記台座一体が複数並べたものである。
【００４０】
これにより一度に多項目・多サンプル溶液を処理したいという課題があり、多項目・多サンプルを同時に検知できるバイオセンサキットが得られる。
【発明の効果】
【００４１】
本発明によれば現在の基板上に設けられている動作電極の構成で検知感度を向上化することができ、そして、反応物質と検知対象物の接触を良くし反応効率を向上させることができる効果のあるバイオセンサキットを提供できる。
【００４２】
また、基板を取り扱い易くすることができ、そして、基板の構成を簡易化できる効果のあるバイオセンサキットを提供できる。
【００４３】
また、キットを作り易く低コストで作製することができ、そして、簡易的にまた低コストで作製できる効果のあるバイオセンサキットを提供できる。
【００４４】
また、検知および洗浄時間を短縮化することができ、そして、各溶液の動作電極および基板表面との接触効率を向上化できる効果のあるバイオセンサキットを提供できる。
【００４５】
また、一度に多項目処理をすることができ、そして、多項目を同時に検知できる効果のあるバイオセンサキットを提供できる。
【００４６】
また、一度に多サンプル溶液処理をすることができ、そして、多サンプル溶液を同時に検知できる効果のあるバイオセンサキットを提供できる。
【００４７】
また、一度に多項目・多サンプル溶液を処理することができ、そして、多項目・多サンプルを同時に検知できる効果のあるバイオセンサキットを提供できる。
【発明を実施するための最良の形態】
【００４８】
本発明の請求項１記載の発明は、台座に固定された基板に検知対象物と特異的に反応する反応物質が固定化された動作電極を形成し、検知対象物が含まれているサンプル溶液を前記動作電極上に接触させ前記検知対象物と前記反応物質とが反応し前記検知対象物を検知する方法において、前記サンプル溶液が前記動作電極上のみに流入・吐出できるようにチューブとキャップを接続した流路形成部を設け、前記動作電極が設けられた前記基板と前記台座の一体とが前記流路形成部と密着・固体化したものであり、現在の基板上に設けられている動作電極の構成で検知感度を向上化することができ、そして、反応物質と検知対象物の接触を良くし反応効率を向上させることができるという作用を有する。
【００４９】
また、上記流路形成部が上記動作電極が設けられた上記基板と上記台座の一体とが密着・固定化されていないこととしたものであり、基板を取り扱い易くすることができ、そして、基板の構成を簡易化できるという作用を有する。
【００５０】
また、上記流路形成部がブリスター加工で形成したものであり、キットを作り易く低コストで作製することができ、そして、簡易的にまた低コストで作製できるという作用を有する。
【００５１】
また、上記流路形成部および上記基板のどちらか一方もしくは両方に突起物を設けたものであり、検知および洗浄時間を短縮化でき、そして、各溶液の動作電極および基板表面との接触効率を向上化させることができるという作用を有する。
【００５２】
また、上記動作電極間の形成高さが階段状になるように、調整部によって段差を設けたものであり、検知および洗浄時間を短縮化でき、そして、各溶液の動作電極および基板表面との接触効率を向上化させることができるという作用を有する。
【００５３】
また、上記動作電極が設けられた上記基板が、上記流路形成部の上方途中に設けられたものであり、検知および洗浄時間を短縮化でき、そして、各溶液の動作電極および基板表面との接触効率を向上化させることができるという作用を有する。
【００５４】
また、上記動作電極の表面が上記サンプル溶液と接触するように流れに対して角度をもったものであり、検知および洗浄時間を短縮化でき、そして、各溶液の動作電極および基板表面との接触効率を向上化させることができるという作用を有する。
【００５５】
また、上記台座および上記流路形成部の中央部に対となるよう突起物を設けたものであり、検知および洗浄時間を短縮化でき、そして、各溶液の動作電極および基板表面との接触効率を向上化させることができるという作用を有する。
【００５６】
また、上記動作電極を上記サンプル溶液の流れに対して並行に、複数重ねたものであり、一度に多項目処理ができ、そして、多項目を同時に検知できるという作用を有する。
【００５７】
また、上記流路形成部内に上記サンプル溶液が流れる流路を並列に複数並べたものであり、一度に多サンプル溶液処理ができ、そして、多サンプル溶液を同時に検知できるという作用を有する。
【００５８】
また、上記流路形成部内に上記サンプル溶液の流れ方向に上記動作電極を設けた上記基板と上記台座一体が複数並べたものであり、一度に多項目・多サンプル溶液を処理ができ、そして、多項目・多サンプルを同時に検知できるという作用を有する。
【００５９】
以下、本発明の実施の形態について図面を参照しながら説明する。
【００６０】
（実施の形態１）
図１および図２に示すように、台座１に固定された基板２に検知対象物と特異的に反応する反応物質が固定化された動作電極３を形成し、検知対象物が含まれているサンプル溶液４を前記動作電極３上に接触させ前記検知対象物と前記反応物質とが反応し前記検知対象物を検知する方法において、前記サンプル溶液４が前記動作電極３上のみに流入・吐出できるようにチューブ５とキャップ６を接続した流路形成部７を設け、前記動作電極３が設けられた前記基板２と前記台座１の一体とが前記流路形成部７と密着・固体化するように構成されている。
【００６１】
上記構成において、前記サンプル溶液４が前記チューブ５から前記流路流路形成部７へと流入し前記動作電極３上のみ通り、検知対象物は前記動作電極３上に固定化されている反応物質と反応し、前記流路形成部７から前期チューブ５へと吐出されていくので、現在の前記基板２上に設けられている前記動作電極３の構成で検知感度を向上化することができ、そして、反応物質と検知対象物の接触を良くし反応効率を向上させることができる。
【００６２】
なお、前記基板２の材質は特に記載しなかったが、ガラス、セラミックス、合成樹脂などである。
【００６３】
また、前記動作電極３の材質は特に記載しなかったが、金などの貴金属である。
【００６４】
また、前記チューブ５の材質は特に記載しなかったが、検知対象物の吸着防止および基質等耐薬品性があればどんな材料でもよい。
【００６５】
また、前記流路形成部７の材質は特に記載しなかったが、検知対象物の吸着防止および基質等耐薬品性があればどんな材料でもよい。
【００６６】
また、前記サンプル溶液４を流す手段は、シリンジポンプ、ペルスタポンプ等の装置で押し出し、吸引どちらでもよい。
【００６７】
（実施の形態２）
図３に示すように、上記流路形成部７が上記動作電極３が設けられた上記基板２と上記台座１の一体とが密着・固定化されていないように構成されている。
【００６８】
上記構成において、前記台座１に設けられている前記基板２を前記流路形成部７と密着・固定化させ、上記サンプル溶液４が上記チューブ５から前記流路流路形成部７へと流入し前記動作電極３上のみ通り、検知対象物は前記動作電極３上に固定化されている反応物質と反応し、前記流路形成部７から前期チューブ５へと吐出されていくので、前記基板２は前記動作電極３のみ形成されている構成となり取り扱い易くすることができ、そして、前記基板２の構成を簡易化できる。
【００６９】
なお、前記基板２の材質は特に記載しなかったが、ガラス、セラミックス、合成樹脂などである。
【００７０】
また、前記動作電極３の材質は特に記載しなかったが、金などの貴金属である。
【００７１】
また、前記チューブ５の材質は特に記載しなかったが、検知対象物の吸着防止および基質等耐薬品性があればどんな材料でもよい。
【００７２】
また、前記流路形成部７の材質は特に記載しなかったが、検知対象物の吸着防止および基質等耐薬品性があればどんな材料でもよい。
【００７３】
また、前記サンプル溶液４を流す手段は、シリンジポンプ、ペルスタポンプ等の装置で押し出し、吸引どちらでもよい。
【００７４】
（実施の形態３）
図４に示すように、上記流路形成部７がブリスター加工で形成されるように構成されている。
【００７５】
上記構成において、前記流路形成部７をブリスター加工し上記基板２とを熱溶着で密着・固定化させ、上記サンプル溶液４が上記チューブ５から前記流路流路形成部７へと流入し上記動作電極３上のみ通り、検知対象物は前記動作電極３上に固定化されている反応物質と反応し、前記流路形成部７から前期チューブ５へと吐出されていくので、前記流路形成部７を作り易く低コストで作製することができ、そして、簡易的にまた低コストで作製できる。
【００７６】
なお、前記基板２の材質は特に記載しなかったが、ガラス、セラミックス、合成樹脂などである。
【００７７】
また、前記動作電極３の材質は特に記載しなかったが、金などの貴金属である。
【００７８】
また、前記チューブ５の材質は特に記載しなかったが、検知対象物の吸着防止および基質等耐薬品性があればどんな材料でもよい。
【００７９】
また、前記流路形成部７の材質は特に記載しなかったが、検知対象物の吸着防止および基質等耐薬品性があればどんな材料でもよい。
【００８０】
また、前記サンプル溶液４を流す手段は、シリンジポンプ、ペルスタポンプ等の装置で押し出し、吸引どちらでもよい。
【００８１】
（実施の形態４）
図５に示すように、上記流路形成部７および上記基板２のどちらか一方もしくは両方に突起物８を設けるように構成されている。
【００８２】
上記構成において、上記サンプル溶液４が、まず１つ目の上記動作電極３上を流れ進み、その先に上前記基板２および前記流路形成部７に設けられた前記突起物８によって流れが乱されて進み、２つ目の上記動作電極２上を流れ進んでいくので、前記サンプル溶液４に含まれている検知対象物が分散され前記動作電極３上に固定化されている反応物質との接触が増して反応性が向上し、検知時間を短縮化でき、そして、前記サンプル溶液４の前記動作電極３との接触効率を向上化させることができる。
【００８３】
なお、前記基板２の材質は特に記載しなかったが、ガラス、セラミックス、合成樹脂などである。
【００８４】
また、前記動作電極３の材質は特に記載しなかったが、金などの貴金属である。
【００８５】
また、前記流路形成部７の材質は特に記載しなかったが、検知対象物の吸着防止および基質等耐薬品性があればどんな材料でもよい。
【００８６】
また、前記サンプル溶液４を流す手段は、シリンジポンプ、ペルスタポンプ等の装置で押し出し、吸引どちらでもよい。
【００８７】
また、前記突起物９の材質は特に記載しなかったが、検知対象物の吸着防止および基質等耐薬品性があればどんな材料でもよい。
【００８８】
また、前記突起物９の数は前記動作電極３間に前記基板２と前記流路形成部７側に１個づつ計２個記載しているが、複数個あってもよい。
【００８９】
（実施の形態５）
図６に示すように、上記動作電極３間の形成高さが階段状になるように、調整部９によって段差を設けるように構成されている。
【００９０】
上記構成において、上記サンプル溶液４が、まず１つ目の前記動作電極３上を流れ進み、その先に前記基板２に設けられた前記調整部９によって進む方向が変更し、またその先に上記流路形成部７によって進む方向が変更し２つ目の前記動作電極３上を進んでいくので、前記サンプル溶液４に含まれている検知対象物が分散され前記動作電極３上に固定化されている反応物質との接触が増して反応性が向上し、検知時間を短縮化でき、そして、前記サンプル溶液４の前記動作電極３との接触効率を向上化させることができる。
【００９１】
なお、前記基板２の材質は特に記載しなかったが、ガラス、セラミックス、合成樹脂などである。
【００９２】
また、前記動作電極３の材質は特に記載しなかったが、金などの貴金属である。
【００９３】
また、前記流路形成部７の材質は特に記載しなかったが、検知対象物の吸着防止および基質等耐薬品性があればどんな材料でもよい。
【００９４】
また、前記サンプル溶液４を流す手段は、シリンジポンプ、ペルスタポンプ等の装置で押し出し、吸引どちらでもよい。
【００９５】
（実施の形態６）
図７および図８に示すように、上記動作電極３が設けられた上記基板２が、上記流路形成部７の上方途中に設けられるように構成されている。
【００９６】
上記構成において、上記サンプル溶液４が前記動作電極３上を流れ進む際、前記基板２上の前記動作電極３が振動することにより、前記サンプル溶液４に含まれている検知対象物が分散され前記動作電極３上に固定化されている反応物質との接触が増して反応性が向上し、検知時間を短縮化でき、そして、前記サンプル溶液４の前記動作電極３との接触効率を向上化させることができる。
【００９７】
なお、前記基板２の材質は特に記載しなかったが、ガラス、セラミックス、合成樹脂などである。
【００９８】
また、前記動作電極３の材質は特に記載しなかったが、金などの貴金属である。
【００９９】
また、前記サンプル溶液４を流す手段は、シリンジポンプ、ペルスタポンプ等の装置で押し出し、吸引どちらでもよい。
【０１００】
また、前記動作電極３の振動は、上下左右どちらでもよい。
【０１０１】
（実施の形態７）
図９および図１０に示すように、上記動作電極３の表面が上記サンプル溶液４と接触するように流れに対して角度をもつように構成されている。
【０１０２】
上記構成において、前記サンプル溶液４が、まず１つ目の前記動作電極３の表面に接触して周りに広がってから流れ進み、そして、２つ目の前記動作電極３の表面に接触して周りに広がって流れ進んでいくので、前記サンプル溶液４に含まれている検知対象物が次々と前記動作電極３上に固定化されている反応物質と接触が増して反応性が向上し、検知時間を短縮化でき、そして、前記サンプル溶液４の前記動作電極３との接触効率を向上化させることができる。
【０１０３】
なお、前記動作電極３の材質は特に記載しなかったが、金などの貴金属である。
【０１０４】
また、前記サンプル溶液４を流す手段は、シリンジポンプ、ペルスタポンプ等の装置で押し出し、吸引どちらでもよい。
【０１０５】
また、前記動作電極３の角度は、０〜３６０℃の任意の角度であることはいうまでもない。
【０１０６】
（実施の形態８）
図１１に示すように、上記台座１および上記流路形成部７の中央部に対となる突起物１０を設けるように構成されている。
【０１０７】
上記構成において、上記サンプル溶液４が、まず１つ目の前記突起物１０で前記サンプル溶液４の流れが整えられ１つ目の上記動作電極３の表面に接触して周りに広がってから流れ進み、次に２つめの前記突起物１０で１つ目の前記動作電極３で乱れた前記サンプル溶液４が再び流れが整えられ２つ目の前記動作電極３の表面に接触して周りに広がって流れ進んでいくので、前記サンプル溶液４に含まれている検知対象物が１つ目の前記動作電極３の接触によって周りに広がったものを一定の範囲に集めて次の前記動作電極３上に接触させ固定化されている反応物質と接触が増して反応性が向上し、検知時間を短縮化でき、そして、前記サンプル溶液４の前記動作電極３との接触効率を向上化させることができる。
【０１０８】
なお、前記動作電極３の材質は特に記載しなかったが、金などの貴金属である。
【０１０９】
なお、前記流路形成部７の材質は特に記載しなかったが、検知対象物の吸着防止および基質等耐薬品性があればどんな材料でもよい。
【０１１０】
また、前記サンプル溶液４を流す手段は、シリンジポンプ、ペルスタポンプ等の装置で押し出し、吸引どちらでもよい。
【０１１１】
また、前記突起物１０の数に制限はない。
【０１１２】
（実施の形態９）
図１２に示すように、上記動作電極３を上記サンプル溶液４の流れに対して並行に、複数重ねるように構成されている。
【０１１３】
上記構成において、前記サンプル溶液４が、上記流路形成部７方向に複数前記動作電極３が並んでいるところを流れ進むので、一度に多項目処理ができ、そして、多項目を同時に検知することができる。
【０１１４】
なお、前記動作電極３の材質は特に記載しなかったが、金などの貴金属である。
【０１１５】
また、前記流路形成部７の材質は特に記載しなかったが、検知対象物の吸着防止および基質等耐薬品性があればどんな材料でもよい。
【０１１６】
また、前記サンプル溶液４を流す手段は、シリンジポンプ、ペルスタポンプ等の装置で押し出し、吸引どちらでもよい。
【０１１７】
また、前記動作電極３は数の制限はない。
【０１１８】
（実施の形態１０）
図１３に示すように、上記流路形成部７内に上記サンプル溶液４が流れる流路１１を並列に複数並べるように構成されている。
【０１１９】
上記構成において、前記サンプル溶液４の流れに並行にいくつも前記流路１１が並びその各々に前記サンプル溶液４が流れるので、一度に多サンプル溶液処理ができ、そして、多サンプル溶液を同時に検知することができる。
【０１２０】
なお、前記流路形成部７の材質は特に記載しなかったが、検知対象物の吸着防止および基質等耐薬品性があればどんな材料でもよい。
【０１２１】
また、前記サンプル溶液４を流す手段は、シリンジポンプ、ペルスタポンプ等の装置で押し出し、吸引どちらでもよい。
【０１２２】
（実施の形態１１）
図１４に示すように、上記流路形成部７内に上記サンプル溶液４の流れ方向に上記動作電極３を設けた上記基板２と上記台座１一体が複数並べるように構成されている。
【０１２３】
上記構成において、前記サンプル溶液４の流れに並行かつ流れ方向にいくつも流路形成部７および前記動作電極３を設けた前記基板２と前記台座１一体が並びその各々に前記サンプル溶液４が流れるので、一度に多項目・多サンプル溶液を処理ができ、そして、多項目・多サンプルを同時に検知することができる。
【０１２４】
なお、前記基板２の材質は特に記載しなかったが、ガラス、セラミックス、合成樹脂などである。
【０１２５】
また、前記動作電極３の材質は特に記載しなかったが、金などの貴金属である。
【０１２６】
また、前記流路形成部７の材質は特に記載しなかったが、検知対象物の吸着防止および基質等耐薬品性があればどんな材料でもよい。
【０１２７】
また、前記サンプル溶液４を流す手段は、シリンジポンプ、ペルスタポンプ等の装置で押し出し、吸引どちらでもよい。
【産業上の利用可能性】
【０１２８】
本発明にかかるバイオセンサキットは、現在の基板上に設けられている動作電極の構成で検知感度を向上化することができ、そして、反応物質と検知対象物の接触を良くし反応効率を向上させることができ、また、基板を取り扱い易くすることができ、そして、基板の構成を簡易化でき、また、キットを作り易く低コストで作製することができ、そして、簡易的にまた低コストで作製でき、また、検知および洗浄時間を短縮化することができ、そして、各溶液の動作電極および基板表面との接触効率を向上化でき、また、一度に多項目処理をすることができ、そして、多項目を同時に検知でき、また、一度に多サンプル溶液処理をすることができ、そして、多サンプル溶液を同時に検知でき、また、一度に多項目・多サンプル溶液を処理することができ、そして、多項目・多サンプルを同時に検知できることを有し、被検物質、例えば、抗原となり得る化学物質や環境ホルモンやタンパク質や微生物・ウイルス等迅速に検知するのに使用される環境分野や医療分野や食品分野の検査・診断等として有用である。
【図面の簡単な説明】
【０１２９】
【図１】本発明の実施の形態１のバイオセンサの断面図
【図２】同バイオセンサの断面図
【図３】同実施の形態２のバイオセンサの断面図
【図４】同実施の形態３のバイオセンサの断面図
【図５】同実施の形態４のバイオセンサの断面図
【図６】同実施の形態５のバイオセンサの断面図
【図７】同実施の形態６のバイオセンサの断面図
【図８】同電気化学方式バイオセンサの断面図
【図９】同実施の形態７のバイオセンサの断面図
【図１０】同電気化学方式バイオセンサの断面図
【図１１】同実施の形態８のバイオセンサの断面図
【図１２】同実施の形態９のバイオセンサの断面図
【図１３】同実施の形態１０のバイオセンサの断面図
【図１４】同実施の形態１１のバイオセンサの断面図
【図１５】従来のバイオセンサの断面図
【図１６】同バイオセンサの断面図
【符号の説明】
【０１３０】
１、１０３  台座
２、１０２  基板
３、１０１  動作電極
４、１０４  サンプル溶液
５          チューブ
６          キャップ
７          流路形成部
８、１０    突起物
９          調整部
１０５      セル
【図１】
2005114462.tif 000003
【図２】
2005114462.tif 000004
【図３】
2005114462.tif 000005
【図４】
2005114462.tif 000006
【図５】
2005114462.tif 000007
【図６】
2005114462.tif 000008
【図７】
2005114462.tif 000009
【図８】
2005114462.tif 000010
【図９】
2005114462.tif 000011
【図１０】
2005114462.tif 000012
【図１１】
2005114462.tif 000013
【図１２】
2005114462.tif 000014
【図１３】
2005114462.tif 000015
【図１４】
2005114462.tif 000016
【図１５】
2005114462.tif 000017
【図１６】
2005114462.tif 000018